(57)【要約】【課題】速結端子へ電源線を挿入または抜去する際の作業性を向上することができることを目的とする。【解決手段】電源線３８を着脱するボタン４０を有した速結端子３９を制御回路ケース１４の内部にボタン４０を下方に向けて設けたという構成にしたことにより、例えば人差指で下方の空間からボタン４０を押すことができるので、速結端子３９へ電源線３８を挿入または抜去する際の作業性を向上することができるイオン発生装置を得られる。【選択図】図８
2014197526.tif 000002
【特許請求の範囲】
【請求項１】
天井に円筒状で下方にフランジを有した本体を埋込み、前記本体の天面には、ターボファンと前記ターボファンを回転させるための電動機と前記電動機を保持する天板を設け、前記本体の下面に吸込み口と吹出し口を有するグリルとを備え、制御回路を納める制御回路ケースは、前記天板の上方に設置し、前記制御回路ケース内部には静電霧化手段を備え、その上部に制御回路ケースカバーで覆い、前記静電霧化手段によって発生したイオンは前記本体内部に設けたガイドを通り、前記吹出し口から排出される空気に混流するイオン発生装置において、電源線を着脱するボタンを有した速結端子を前記制御回路ケースの内部に前記ボタンを下方に向けて設けたことを特徴とするイオン発生装置。
【請求項２】
速結端子を下方斜めに向けて傾けたことを特徴とする請求項１に記載のイオン発生装置。
【請求項３】
速結端子を制御回路ケースの電動機から離れた外側に配置したことを特徴とする請求項１または２に記載のイオン発生装置。
【請求項４】
制御回路ケースを覆う制御回路ケースカバーを設け、前記制御回路ケースカバーにリブを設けたことを特徴とする請求項１に記載のイオン発生装置。
【請求項５】
速結端子の電源コード接続部を覆う回路カバーを制御回路ケースと制御回路ケースカバーとを覆うように設けたことを特徴とする請求項１〜３のいずれかに記載のイオン発生装置。
【請求項６】
制御回路ケースカバーに回路ケースを保持するように溝とねじ穴を設けたことを特徴とする請求項５に記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、マイナスイオン発生手段によって発生したイオンを、ファンによって生じさせた空気の流れにのせて流出させたものが知られている。（例えば、特許文献１参照）。
【０００３】
以下、そのイオン発生装置について図１０を参照しながら説明する。
【０００４】
図１０に示すように、天井に本体を埋込み、天井面からイオンを発生させるイオン発生装置であって、本体は、円筒状の本体ケース１０１内に仕切板１０２と、この仕切板１０２の下方に送風手段としてシロッコファン１０３と、仕切板１０２を貫通した開口に静電霧化手段１０４と、本体ケース１０１の下端に本体吸込み口１０５と本体吹出し口１０６を有するグリル１０７と、本体ケース１０１の上に設けられている、制御基板の入った制御ボックス１０８で構成されている。
【０００５】
上記構成により、本体ケース１０２内に螺旋状の空気流路を設けて旋回気流を作り出し、旋回気流を本体吹出し口１０７から吹出すことができる。
【先行技術文献】
【特許文献】
【０００６】
【特許文献１】特開２０１１−２５３７８０号公報
【発明の概要】
【発明が解決しようとする課題】
【０００７】
このような従来のイオン発生装置においては速結端子へ電源線を挿入または抜去する際の作業性が悪い、という課題を有していた。
【０００８】
そこで本発明は、上記従来の課題を解決するものであり、速結端子へ電源線を挿入または抜去する際の作業性を向上することができるイオン発生装置を提供することを目的とする。
【課題を解決するための手段】
【０００９】
そして、この目的を達成するために、本発明は、天井に円筒状で下方にフランジを有した本体を埋込み、前記本体の天面には、ターボファンと前記ターボファンを回転させるための電動機と前記電動機を保持する天板を設け、前記本体の下面に吸込み口と吹出し口を有するグリルとを備え、制御回路を納める制御回路ケースは、前記天板の上方に設置し、前記制御回路ケース内部には静電霧化手段を備え、その上部に制御回路ケースカバーで覆い、前記静電霧化手段によって発生したイオンは前記本体内部に設けたガイドを通り、前記吹出し口から排出される空気に混流するイオン発生装置において、電源線を着脱するボタンを有した速結端子を前記制御回路ケースの内部に前記ボタンを下方に向けて設けたとしたものであり、これにより所期の目的を達成するものである。
【発明の効果】
【００１０】
本発明によれば、天井に円筒状で下方にフランジを有した本体を埋込み、前記本体の天面には、ターボファンと前記ターボファンを回転させるための電動機と前記電動機を保持する天板を設け、前記本体の下面に吸込み口と吹出し口を有するグリルとを備え、制御回路を納める制御回路ケースは、前記天板の上方に設置し、前記制御回路ケース内部には静電霧化手段を備え、その上部に制御回路ケースカバーで覆い、前記静電霧化手段によって発生したイオンは前記本体内部に設けたガイドを通り、前記吹出し口から排出される空気に混流するイオン発生装置において、電源線を着脱するボタンを有した速結端子を前記制御回路ケースの内部に前記ボタンを下方に向けて設けた、という構成にしたことにより、例えば人差指で下方の空間からボタンを押すこととなるので、速結端子へ電源線を挿入または抜去する際の作業性を向上することができる、という効果を得ることができる。
【図面の簡単な説明】
【００１１】
【図１】本発明の実施の形態１のイオン発生装置を天井に取付けた状態の側面断面図
【図２】同イオン発生装置を天井に取付けた状態の正面断面図
【図３】同イオン発生装置の取付け金具の構成を示した拡大図
【図４】同イオン発生装置の平面図
【図５】同イオン発生装置の図４記載のＡ−Ａ断面図
【図６】同イオン発生装置のグリルを取外した状態を示す斜視図
【図７】同イオン発生装置の天井へ取付ける際の取付け状態を示す断面図
【図８】同イオン発生装置の速結端子と電動機との関係を示す断面図
【図９】同イオン発生装置の速結端子へ電源線を挿入する際の状態を示す断面図
【図１０】同イオン発生装置の回路ケースを取り外した状態を示す斜視図
【図１１】同イオン発生装置の回路ケースを取り外した状態を示す上面図
【図１２】従来のイオン発生装置の分解斜視図
【発明を実施するための形態】
【００１２】
本発明の請求項１記載のイオン発生装置は、天井に円筒状で下方にフランジを有した本体を埋込み、前記本体の天面には、ターボファンと前記ターボファンを回転させるための電動機と前記電動機を保持する天板を設け、前記本体の下面に吸込み口と吹出し口を有するグリルとを備え、制御回路を納める制御回路ケースは、前記天板の上方に設置し、前記制御回路ケース内部には静電霧化手段を備え、その上部に制御回路ケースカバーで覆い、前記静電霧化手段によって発生したイオンは前記本体内部に設けたガイドを通り、前記吹出し口から排出される空気に混流するイオン発生装置において、電源線を着脱するボタンを有した速結端子を前記制御回路ケースの内部に前記ボタンを下方に向けて設けた、という構成を有する。
【００１３】
これにより、例えば人差指で下方の空間からボタンを押すこととなるので、速結端子へ電源線を挿入または抜去する際の作業性を向上することができる、という効果を奏する。
【００１４】
また、速結端子を下方斜めに向けて傾けた、という構成にしてもよい。
【００１５】
これにより、水が下方斜めに向かって速結端子から離れて電源線に沿って流れることとなるので、トラッキング現象を防ぐことができ安全性を向上することができる、という効果を奏する。
【００１６】
また、速結端子を制御回路ケースの電動機から離れた外側に配置した、という構成にしてもよい。
【００１７】
これにより、制御回路ケースの下方の空間に、例えば人差指で下方の空間からボタンを押すこととなるので、速結端子へ電源線を挿入または抜去する際の作業性を向上することができる、という効果を奏する。
【００１８】
また、制御回路ケースを覆う制御回路ケースカバーを設け、前記制御回路ケースカバーにリブを設けた、という構成にしてもよい。
【００１９】
これにより、速結端子がリブに引っかかることとなるので、電源線を制御回路ケースに挿入し引かれた場合でも制御回路ケース内から速結端子が抜けることを防止することができる、という効果を奏する。
【００２０】
以下、本発明の実施の形態について図面を参照しながら説明する。
【００２１】
（実施の形態１）
図１〜９に示すように、天井１００に本体１を埋込み、天井１００からイオンを発生させるイオン発生装置に係るものであり、図１に示すように、本体１は円筒状を有しており、下方にはフランジ２を有し、フランジ２の下方には吸込み口３と吹出し口４を有するグリル５を設け、本体１の上方の天面６には、遠心送風手段であるターボファン７とターボファン７を回転させる電動機８を有し、電動機８を保持する天板９を天面６に設けたうえ、天板９の下方には電動機８を接続するターボファン７を組み込んで構成されている。
【００２２】
なお、電動機８は、直流（ＤＣ）でも交流（ＡＣ）でもどちらでも良い。
【００２３】
また、風路構造は、吸込み口３の全周から室内の空気を吸込み、オリフィス１０にかけて筒状の経路１１ａを通ってターボファン７に吸込まれ、ターボファン７の全周に吹出し、オリフィス部の外側にある筒状の経路１１ｂを通り、グリル５の吹出し口４の全周から室内へ排出される構造としている。
【００２４】
また、図２に示すように、天板９の上方に、電動機８とイオンの発生を行う静電霧化手段１２ａおよび静電霧化手段１２ｂをコントロールする制御回路１３（図１参照）を内部に納める制御回路ケース１４を有し、制御回路ケースカバー１５によって制御回路ケース１４を覆う構成としている。
【００２５】
また、本体１を天井１００へ固定するために、図３に示すように、本体１の側面には取付け金具１６を設け、取付け金具１６は板状の固定金具１７と根底金具１８の二つの部品で構成され、根底金具１８は固定金具１７と接触する接触面を中心に天井１００面と根底金具１８が平行となるように回転でき、本体１の側面にあいた穴１９と固定金具１７にあ
いた長穴２０を貫通する金具専用ネジ２１の進む方向の先端には、固定ナット２２が設けられている。
【００２６】
金具専用ネジ２１を回転させることで、本体１の側面に設けた天井１００側を凹状としたコの字形状の壁２３によって、回転方向の動きを規制された固定ナット２２が上下に移動し取付け金具１６を下方に移動させて、フランジ２と取付け金具１６とで天井１００を挟みこんで本体１を天井１００に固定する（図２参照）こととなる。
【００２７】
ここで、本製品において、取付け金具１６は本体１の左右すなわち側面に２つ備える構造としているが、その個数はこの限りではない。
【００２８】
また、図４に示すように、フランジ２に設けてある取付け穴２４にネジを差し込んで締め付けることで、天井１００に取付けることも可能である。
【００２９】
なお、取付け穴２４は、通常使用での風漏れを防ぐために取付け穴２４を塞いだ構造としているが、薄肉で塞がっているため、取付け穴２４にネジを差し込む際、容易に貫通させて取付けることができる。
【００３０】
また、図５に示すように、静電霧化手段１２ａおよび静電霧化手段１２ｂによって発生したイオンは、本体１の内部に設けたガイド２５ａおよびガイド２５ｂを通ってイオン排出口２６ａおよびイオン排出口２６ｂから排出される構造であり、ターボファン７により吹出された空気に混流して室内へ排出される。
【００３１】
なお、ターボファン７から吹出された空気によりイオン排出口２６ａおよびイオン排出口２６ｂは負圧となり、静電霧化手段１２ａおよび静電霧化手段１２ｂによって発生したイオンは、ガイド２５ａおよびガイド２５ｂを通ってイオン排出口２６ａおよびイオン排出口２６ｂへと引っ張られるため、発生したイオンが逆流する恐れがなく、かつ、埃や異物がガイド２５ａおよびガイド２５ｂを通って静電霧化手段１２ａおよび静電霧化手段１２ｂに侵入する恐れがない構造である。
【００３２】
また、図６に示すように、オリフィス１０は、フランジ２の内部に沿って矢印方向２７に回転させて取付け、フランジ２の内部に設けた回転規制リブ２８により位置決めされ、かつ、オリフィス固定ネジ２９により正規の位置へと固定される構造である。
【００３３】
また、オリフィス１０には、スイッチ制御回路３０（図１参照）を有しており、本体１の動作または停止を切り替えることのできる運転切替スイッチ３１を設け、かつ、本体１動作時に点灯する運転動作ランプ３２（図１参照）を備え、さらに、運転動作ランプ３２の光強度を調節する調光スイッチ３３を設けており、これらは保護カバー３４により覆われ、オリフィス固定ネジ２９により正規の位置へと固定される構造としている。
【００３４】
さらに、保護カバー３４の上方には侵入防止リブ３５を有しており、例えば運転切替スイッチ３１または調光スイッチ３３を指で操作する際、誤ってターボファン７へ指が接触することを防ぐことができ、かつ、吸込み口３から侵入した埃や異物が、運転切替スイッチ３１または調光スイッチ３３の隙間からスイッチ制御回路３０（図１参照）へ侵入することを防ぐ構造である。
【００３５】
また、図１に示すように、保護カバー３４の下方には運転動作ランプ３２の光が通る光筒３６を設け、グリル５へ運転動作ランプ３２の光を透過させ、グリル５の表面で光を浮び上がらせている。
【００３６】
加えて、運転動作ランプ３２の光が通過するグリル５の表面に、一例として丸型の凹み３７を備えた構造としたことで、運転動作ランプ３２上のグリル５の表面が薄くなるため、運転動作ランプ３２の光の透過性が増し、より鮮明にランプが浮かび上がる仕様となっており、明るいと感じるユーザーに対しては、調光スイッチ３３を用いて光の強度を調整することができる。
【００３７】
上記の構成において、図７に示すように、制御回路ケース１４および制御回路ケースカバー１５はそれぞれ長方形状であり、かつ、円筒状である本体１の直径値よりも小さい大きさとし、また、長手方向が本体１の中心から片側に寄せて配置する構成としているため、本体１を施工する際に天井１００の丸穴に斜めに挿入すれば、制御回路ケース１４および制御回路ケースカバー１５を容易に挿入することができる。
【００３８】
また、図８に示すように、制御回路ケース１４に制御回路１３と電源線３８を接続する速結端子３９を設け、かつ、速結端子３９には電源線３８を着脱するためのボタン４０を有しており、このボタン４０を押すことにより電源線３８を取り外すことができるものであり、このボタン４０を下方に向けて設けた構成をしている。
【００３９】
これにより、例えば人差指で下方の空間からボタン４０を押すこととなるので、速結端子３９の挿入穴４１へ電源線３８を挿入または抜去する際の作業性を向上することができる。
【００４０】
また、速結端子３９を電動機８側から外周へ向かって下方斜めに向けて傾けた、という構成にしてもよい。
【００４１】
これにより、天井１００裏で発生した漏水、結露水が電源線３８を伝わってきたとき、漏水、結露水が速結端子３９と同様に下方斜めに傾いた電源線３８を伝って、水が下方斜めに向かって速結端子３９から離れて電源線３８に沿って流れることとなるため、挿入穴４１へ水は浸入せずトラッキング現象を防ぐことができ安全性を向上することができる。
【００４２】
また、速結端子３９の挿入穴４１の上方にある制御回路ケースカバー１５にひさし４２を設けて覆う、という構成にしてもよい。
【００４３】
これにより、天井１００裏で発生した漏水、結露水が制御回路ケースカバー１５に落ちたとき、漏水、結露水がひさし４２の上から前方に流れ落ちるため、挿入穴４１に流れ込まなく、また、速結端子３９がひさし４２により押し下げられ、電源線３８の最下部が挿入穴４１より低くなり、漏水、結露水が電源線３８を伝ってきたとき、水が下方斜めに向かって速結端子３９から離れて電源線３８に沿って流れることとなるため、挿入穴４１へ水は浸入せずトラッキング現象を防ぐことができ安全性を向上することができる。
【００４４】
また、速結端子３９を制御回路ケース１４の電動機８から離れた外側に配置した、という構成にしてもよい。
【００４５】
これにより、制御回路ケース１４の下方には空間ができるため、例えば人差指で下方の空間からボタン４０を押すことができ、速結端子３９へ電源線３８を挿入または抜去する際の作業性を向上することができる。
【００４６】
また、制御回路ケースカバー１５の速結端子３９の上方にリブ４３を設けた、という構成にしてもよい。
【００４７】
これにより、速結端子３９がリブ４３に接触して引っかかることとなるので、電源線３８を速結端子３９に挿入し引かれた場合でも制御回路ケース１４内から速結端子３９が抜けることを防止できる。
【００４８】
さらに、図９に示すように、制御回路ケースカバー１５と作業台４４（机など、平面であればよい）が接するように制御回路ケース１４および制御回路ケースカバー１５を設置することで、ボタン４０が作業台４４に対して上向きになるとともに、制御回路ケースカバー１５と作業台４４はともに平面であるため、より安定した状態で電源線３８を挿入または抜去することができ、作業性を向上することができる。
【００４９】
また、図１０、１１に示すように、速結端子３９の電源線接続部４５を覆う回路カバー４６を制御回路ケース１４と制御回路ケースカバー１５とを覆うように設けたものである。
【００５０】
このような構成にすることで、制御回路ケース１４と制御回路ケースカバー１５へ電源線３８（図８参照）に対して右側垂直方向から差し込むので、電源線接続部４５に断熱工法としてブローイング工法を用いた場合の断熱材が（図示せず）回路カバー４６により電源線接続部４５に侵入することを防ぎ、電源線接続部４５の安全性を保つことができる。
【００５１】
また、制御回路ケースカバー１５に回路カバー４６を保持するように溝４７とねじ穴４８を設けた構成とする。
【００５２】
このような構成にすることで、回路カバー４６を溝４７に結合しスライドさせて、上方よりねじ穴４８にねじ（図示せず）を挿入して回路カバー４６と制御回路ケースカバー１５とを結合させるので、必要に応じて（ブローイング工法を使用した場合）回路カバー４６を制御回路ケースカバー１５に結合させるので、どのような場合（工法）でも電源線接続部４５の安全性を保つことができる。
【産業上の利用可能性】
【００５３】
本発明にかかるイオン発生装置は、天井に取付けて広範囲にイオン供給を可能とするものであるので、イオンによってもたらすことができる効果や効能を居住空間に供給することに有用であり、また、クローゼットやバス、トイレ、または倉庫などの非居住空間においても有用である。
【符号の説明】
【００５４】
１      本体
２      フランジ
３      吸込み口
４      吹出し口
５      グリル
６      天面
７      ターボファン
８      電動機
９      天板
１０    オリフィス
１１ａ  経路
１１ｂ  経路
１２ａ  静電霧化手段
１２ｂ  静電霧化手段
１３    制御回路
１４    制御回路ケース
１５    制御回路ケースカバー
１６    取付け金具
１７    固定金具
１８    根底金具
１９    穴
２０    長穴
２１    金具専用ネジ
２２    固定ナット
２３    壁
２４    取付け穴
２５ａ  ガイド
２５ｂ  ガイド
２６ａ  イオン排出口
２６ｂ  イオン排出口
２７    矢印方向
２８    回転規制リブ
２９    オリフィス固定ネジ
３０    スイッチ制御回路
３１    運転切替スイッチ
３２    運転動作ランプ
３３    調光スイッチ
３４    保護カバー
３５    侵入防止リブ
３６    光筒
３７    凹み
３８    電源線
３９    速結端子
４０    ボタン
４１    挿入穴
４２    ひさし
４３    リブ
４４    作業台
４５    電源線接続部
４６    回路カバー
４７    溝
４８    ねじ穴
１００  天井
【図１】
2014197526.tif 000003
【図２】
2014197526.tif 000004
【図３】
2014197526.tif 000005
【図４】
2014197526.tif 000006
【図５】
2014197526.tif 000007
【図６】
2014197526.tif 000008
【図７】
2014197526.tif 000009
【図８】
2014197526.tif 000010
【図９】
2014197526.tif 000011
【図１０】
2014197526.tif 000012
【図１１】
2014197526.tif 000013
【図１２】
2014197526.tif 000014